【事件の表示】
　特願２００１−３４６３７２「画像プリンタ」拒絶査定不服審判事件〔平成１４年　７月１９日出願公開、特開２００２−２０２５６８〕について、次のとおり審決する。
【結　論】
　本件審判の請求は、成り立たない。
【理　由】
１．手続きの経緯
　本願は、平成６年３月２日に出願した特願平６−３２０８４号の一部を平成１３年１１月１２日に新たな特許出願としたものであって、平成１６年１０月２８日付で拒絶査定がなされ、これに対し、平成１６年１２月６日に拒絶査定に対する審判請求がなされるとともに、同年１２月２８日付で手続補正がなされたものである。
　
２．平成１６年１２月２８日付の手続補正についての補正却下の決定
［補正却下の決定の結論］
　平成１６年１２月２８日付の手続補正（以下、「本件補正という。」）を却下する。
［理由］
（１）　補正後の本願発明
　本件補正により、特許請求の範囲の請求項１は、平成１６年４月２２日付の手続補正による
「フィルム（２）の画像を感光材料（３）に露光する画像プリンタであって、撮影時に前記フィルム（２）の磁気記録部（２ａ）に記録された複数項目の撮影情報を記録情報として読み取る読取手段（１７）と、記録情報としての撮影情報を後から追加的に手動で入力するための手動入力手段（ＭＩ）とが備えられ、
　前記読取手段（１７）によって読み取られた撮影情報又は前記手動入力手段（ＭＩ）を通じて入力された撮影情報あるいはそれら両方の撮影情報を表示するモニタ手段（Ｍ）と、前記モニタ手段（Ｍ）に表示された前記複数項目の撮影情報から前記画像と併せて前記感光材料（３）に露光されるべき記録情報として撮影情報を選択する操作手段（Ｏ）とが備えられ、前記操作手段（Ｏ）を通じて選択された撮影情報が前記画像と併せて前記感光材料（３）に露光されるよう構成されている画像プリンタ。」
を、
「フィルム（２）の画像を感光材料（３）に露光する画像プリンタであって、撮影時に前記フィルム（２）の磁気記録部（２ａ）に記録された複数項目の文字や記号で表示される撮影情報を記録情報として読み取る読取手段（１７）と、前記記録情報を後から追加的に手動で入力するため及び前記読み取られた記録情報又は追加入力された記録情報を変更設定するための手動入力手段（ＭＩ、ＣＩ）とが備えられ、
　前記読取手段（１７）によって読み取られた記録情報又は前記手動入力手段（ＭＩ、ＣＩ）を通じて入力された記録情報あるいはそれら両方の記録情報を表示するモニタ手段（Ｍ）と、前記モニタ手段（Ｍ）に表示された前記複数項目の記録情報から前記画像と併せて前記感光材料（３）に文字や記号として露光されるべき前記記録情報を選択する操作手段（Ｏ）とが備えられ、前記操作手段（Ｏ）を通じて選択された記録情報が前記画像と併せて前記感光材料（３）に露光されるよう構成されている画像プリンタ。」
と補正された。
　上記補正は、請求項１に記載した発明を特定するために必要な事項である「撮影情報」及び「記録情報としての撮影情報を後から追加的に手動で入力するための手動入力手段」を「文字や記号で表示される撮影情報」及び「記録情報を後から追加的に手動で入力するため及び前記読み取られた記録情報又は追加入力された記録情報を変更設定するための手動入力手段」と限定限定するものであって、特許法第１７条の２第３項第２号の特許請求の範囲の減縮を目的とするものに該当する。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）について以下に検討する。
　
（２）原審の拒絶の理由において引用した引用例
１.特開平５−３２３４６９号公報（以下、引用例１という。）
２.特表平５−５００１１８号公報（以下、引用例２という。）
（２）．１　引用例の記載内容
（２）．１．１　引用例１の記載内容
　引用例１の【０００５】段落には、
 「【０００５】
【課題を解決するための手段】上記の目的を達成するために提案された請求項１の画像合成プリンタは、…フィルムの画像を感光材料に露光する露光手段と、…重複露光する文字像、記号像、図形像などのパターン像の位置と向きと露光色を決定する重複露光条件決定手段と、…重複露光する重複露光手段とを設けたことを特徴とするものである。」
と記載されている。
　また、【００１４】段落には、
「【００１４】…光源１１の露光光がネガフィルムＢを透過して、露光ステージ１９に静止している感光材料Ａに写真像Ａ１を焼き付けるように構成されている。…」
と記載されている。
　また、【００２２】段落には、
「【００２２】ネガフィルムＢへの上下情報の記録方法としては、…本実施例では、図３に示すように、ネガフィルムＢに設けられたパーフォレーションＢ１の外側に磁気を付着した磁気塗布部Ｂ２を用い、カメラはカメラ本体の背面に入力キーボードが設けられたものを用いて、上下情報・日付・時間を撮影時に自動的に磁気フィルムに記録し、コメント等はカメラの入力キーボードにより磁気フィルムに記録するようにしている。」
と記載されている。
　また、【００２３】段落には、
「【００２３】そして、これら上下情報を読み取る上下情報・固有情報検出器４は、ネガフィルムＢの磁気塗布部Ｂ２に対応した位置に磁気読取ベット４１を設けた構成のものを採用している（図４）。そして、磁気読取ベット４１にて読み取られた全ての磁気情報は、上述のように制御部３に送られる。」
　また、【００２６】段落には、
「【００２６】（３）（原文は丸数字）　次に、ネガフィルムＢは露光手段１の露光ステージ１８に送られる。一方、感光材料Ａは、搬送ロールＲ１にてマガジン６から導出されて、ループ形成ステージ７において感光材料Ａを湾曲させてループを形成し、露光手段１の露光ステージ１９に移送される。
（４）（原文は丸数字）　次に、スキャナ５のデータが入力された制御部３からの指令信号により、露光手段１の光変調フィルター１３とメカニカルフィルター１７Ａが駆動制御されて、良好な写真像Ａ１を露光ステージ１９に位置する感光材料Ａに焼き付ける。
（５）（原文は丸数字）　さらに、制御部３では、入力された上下情報・固有情報検出手段４およびスキャン５のデータを基づいて重複露光すべきパターン像Ａ１の露光の位置、向きおよび色を決定して指令信号を出力し、この指令信号によって重複露光部２の光質変調フィルター駆動機構部２４およびＰＬＺＴヘッド２２と移送モータＭを制御し、感光材料Ａを移送しながら、良好な文字像等のパターン像Ａ２を感光材料Ａにライン露光する。」
と記載されている。
（２）．１．２　引用例２の記載内容　
　引用例２の第４頁右下欄第１０行ないし第５頁第１５行には、
 「図４に言及すると、論理・制御装置３１０によって制御された写真焼付け機３０５におけるキャプスタン駆動機構組立体３００は符号化フィルム条片１０を、論理・制御装置３２０により制御された磁気読取りヘッド３６０を通過して移動させる。フィルムトラック３３０はフィルム条片１０を磁気的読取りヘッド３６０と接触させて配置する。磁気的読取りヘッド３６０はこれの論理・制御装置３２０と共にフィルム条片１０上の磁気コーティング１１から符号化注文情報を読み取る。論理・制御装置３２０はこの情報を使用して焼き付けられるべきフレームを焼付け機（プリンタ）ゲート３４０に配置し且つ記憶装置３７０から業務用名刺又はあいさつ状書式を引き出す。論理・制御装置３２０はＣＲＴ３８０により、選択された業務用名刺又はあいさつ状を印画紙上へ焼き付けるための方法を構成する一連の段階について操作員を案内する。
　書式が引き出された後、選択された図形、図形位置、字体様式、字体大きさ、字体の色、及び字体位置は記憶装置３７０から呼び出されてＣＲＴ３８０上に表示される。…
　業務用名刺又はあいさつ状画像がＣＲＴ上に表示されたものとして完全である場合には、操作員はキーパッド４３０上のキーを打ち、これによりその画像が印画紙上へ焼き付けられる。
　画像は、…印画紙４６５へと反射させることによってプリントされる。ＣＲＴ画像を写真的に記録した後、印画紙は論理・制御装置４６８によって制御された焼付け機印画紙前進機構４６７により方向４６６に進行し、…ＣＲＴ露光部４９０の潜像がフィルムゲート３４０に配置された陰画フィルム条片１０に基づく画像４９５に隣接して配置される。陰画画像４９５は論理・制御装置５１０によって制御された写真ランプ室５００によりレンズ５２０を通して方向５３０においてＣＲＴ画像に直接隣接して光学的に露光させられる。　」
と記載されている。
　
（２）．２　引用例に記載された発明
（２）．２．１　引用例１に記載された発明
　上記（２）．１．１　引用例１の記載内容を参照すると、引用例１には、
「ネガフィルムの写真像を感光材料Ａに露光する画像プリンタであって、撮影時に前記ネガフィルムの磁気塗布部に記録された上下情報・日付・時間及びコメント等を磁気情報として読み取る磁気読取ヘッドと、が備えられ、
　前記磁気読取ヘッドによって読み取られた記録情報を前記写真像と併せて前記感光材料Ａに露光されるよう構成されている画像プリンタ。」
の発明が記載されている。
　
（２）．２．２　引用例２に記載された発明
　上記（２）．１．２　引用例２の記載内容及び引用例２の第４図を参照すると、引用例２には、
「フィルム条片上の磁気コーティングに符号化された符号化情報を磁気読み取りヘッドにより読み取り、情報をＣＲＴに表示し、操作員は、ＣＲＴに表示された情報が完全である場合には、キーパッド上のキーを打ち、これにより当該情報が印画紙上に焼き付けられ、さらに、フィルム条片に基づく画像が前記情報に隣接して露光させる画像プリンタ」
の発明が記載されている。
　なお、引用例２記載の発明における「フィルム条片」、「磁気コーティング」、「情報」、「磁気読み取りヘッド」、「キーパッド」、「ＣＲＴ」及び「フィルム条片に基づく画像」は、本願補正発明の、「フィルム」、「磁気記録部」、「記録情報」、「読取手段」、「操作手段」、「モニタ手段」及び「画像」に相当している。
　
（３）対比
　そこで、本願補正発明と引用例１に記載された発明とを比較する。
　引用例１に記載された発明の、「ネガフィルム」、「磁気塗布部」、「磁気読取ヘッド」、「上下情報・日付・時間及びコメント」「磁気情報を読み取る磁気読取ヘッド」及び「写真像」は、それぞれ、本願補正発明の、「フィルム」、「磁気記録部」、「読取手段」、「複数項目の文字や記号で表示される撮影情報」「磁気情報として読み取る読取手段」及び「画像」に相当する。
　
　そうすると両者は、
「フィルムの画像を感光材料に露光する画像プリンタであって、撮影時に前記フィルムの磁気記録部に記録された複数項目の文字や記号で表示される撮影情報を記録情報として読み取る読取手段と、記録情報が前記画像と併せて前記感光材料に露光されるよう構成されている画像プリンタ。」
において一致し、以下の点で相違する。
　
　相違点
　本願補正発明が、「記録情報を後から追加的に手動で入力するため及び前記読み取られた記録情報又は追加入力された記録情報を変更設定するための手動入力手段とが備えられ、
　前記読取手段によって読み取られた記録情報又は前記手動入力手段を通じて入力された記録情報あるいはそれら両方の記録情報を表示するモニタ手段と、前記モニタ手段に表示された前記複数項目の記録情報から前記画像と併せて前記感光材料に文字や記号として露光されるべき前記記録情報を選択する操作手段とが備えられ」るのに対し、引用例１に記載された発明は、当該構成の記載がない点で相違（以下、「相違点」という。）する。
　
（４）判断
　相違点について検討する。
　引用例２に記載された発明は、フィルム上の磁気記録部に符号化された記録情報を読取手段により読み取り、前記記録情報をモニタに表示し、操作員は、モニタに表示された情報が完全である場合には、キーパッド上のキーを打ち、これにより当該情報が印画紙上に焼き付けられ、さらに、フィルム条片に基づく画像が前記印画紙に上記情報に隣接して露光させる画像プリンタであって、「操作員は、モニタに表示された情報が完全である場合には、キーパッド上のキーを打ち」とされているところ、モニタに表示された情報が完全でない場合例えば情報の欠落、誤記等がある場合は、情報の欠落については情報を追加的に手動で入力し、情報の誤記については情報を変更することは、当然想到できたことである。また、引用例２に記載された発明は、ＣＲＴ上に図形等が表示されかつ操作手段としてキーパッドを備えており、当該構成から、感光材料に文字や記号として露光されるべき前記記録情報を選択する操作手段を想起することは当業者が容易になし得たことである。
　したがって、相違点に係る構成については、引用例２に記載された発明に接した当業者が容易に想到できたことである。
　
　そして、本願補正発明の作用効果も、引用例１及び２記載の発明から当業者が予測できる範囲のものである。
　　
（５）むすび
　以上のとおり、本件補正は、特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１６年１２月２８日付の手続補正は上記のとおり却下されたので、本願の請求項１に係る発明（以下、同項記載の発明を「本願発明」という。）は、平成１６年４月２２日付けで補正された明細書の特許請求の範囲の請求項１に記載された事項により特定される、以下のとおりのものである。
「フィルム（２）の画像を感光材料（３）に露光する画像プリンタであって、撮影時に前記フィルム（２）の磁気記録部（２ａ）に記録された複数項目の撮影情報を記録情報として読み取る読取手段（１７）と、記録情報としての撮影情報を後から追加的に手動で入力するための手動入力手段（ＭＩ）とが備えられ、
　前記読取手段（１７）によって読み取られた撮影情報又は前記手動入力手段（ＭＩ）を通じて入力された撮影情報あるいはそれら両方の撮影情報を表示するモニタ手段（Ｍ）と、前記モニタ手段（Ｍ）に表示された前記複数項目の撮影情報から前記画像と併せて前記感光材料（３）に露光されるべき記録情報として撮影情報を選択する操作手段（Ｏ）とが備えられ、前記操作手段（Ｏ）を通じて選択された撮影情報が前記画像と併せて前記感光材料（３）に露光されるよう構成されている画像プリンタ。」
（１）引用例
　原査定の拒絶の理由に引用された引用例１及び２の記載事項は、前記「２．（１）」に記載したとおりである。
　
（２）対比・判断      
　本願発明は、前記２．で検討した本願補正発明の、「文字や記号で表示される撮影情報」から、「文字や記号で表示される」との構成を省き、また、「記録情報を後から追加的に手動で入力するため及び前記読み取られた記録情報又は追加入力された記録情報を変更設定するための手動入力手段」から、「読み取られた記録情報又は追加入力された記録情報を変更設定するための手動入力手段」の構成を省くものである。
　そうすると、本願発明の構成要件を全て含み、さらに他の構成要件を付加したものに相当する本願補正発明が、前記「２．（４）」に記載したとおり、引用例１及び２記載の発明に基づいて、当業者が容易に発明をすることができたものであるから、本願発明も、同様の理由により、引用例１及び２記載の発明に基づいて、当業者が容易に発明をすることができたものである。
　
（３）むすび
　以上のとおり、本願発明は、引用例１及び２記載の発明に基づいて、当業者が容易に発明をすることができたものであるから、特許法第２９条第２項の規定により特許を受けることができない。
よって、結論のとおり審決する。